(57)【要約】本発明は、展示フレームワーク組立用接続ロックは展示装置の部品を接続し、ロック外殻とロックプレートと偏心輪部で構成され、その偏心輪部は輪軸部と偏心ディスク部と輪頭部から成り、その輪軸部はその輪頭部を備えて、その偏心ディスク部上に取付けられ、上記ロックプレートは、上記ロック外殻内に備えられ、少なくとも２つの鉤爪部がそのロックプレートの先端部に備えられ、その偏心ディスク部に合致する偏心ディスク用孔部はそのロックプレートの後部に形成され、そのロック外殻は前頭部に鉤爪部用開口部を備えた中が空洞である閉外殻であり、その鉤爪部はその閉外殻内部から突出しており、輪軸用孔部はその閉外殻の後部に設けられ、偏心輪部取付用溝は閉外殻壁面に設けられ、嵌込組立部取付け及び取外し用開口部はその閉外殻の後部に設けられることを特徴とする展示フレームワーク組立用接続ロックを開示する。この新案特許は、強度および信頼性向上、金型の単純化、製品の生産性の向上、突起部の強度の向上という利点がある。【選択図】  図１
2009511137.tif 000002
【特許請求の範囲】
【請求項１】
展示フレームワーク組立用接続ロックは展示装置の部品を接続し、ロック外殻（１）とロックプレート（２）と偏心輪部（３）で構成され、
その偏心輪部（３）は輪軸部（３１）と偏心ディスク部（３２）と輪頭部（３３）から成り、
その輪軸部（３１）はその輪頭部（３３）を備えて、その偏心ディスク部（３２）上に取付けられ、
上記ロックプレート（２）は、上記ロック外殻（１）内に備えられ、
少なくとも２つの鉤爪部（２１）がそのロックプレート（２）の先端部に備えられ、その偏心ディスク部（３２）に合致する対の偏心ディスク用孔部（２３）はそのロックプレート（２）の後部に形成され、
そのロック外殻（１）は前頭部に鉤爪部用開口部（１６）を備えた中が空洞である閉外殻であり、
その鉤爪部（２１）はその鉤爪部用開口部（１６）を通りその閉外殻内部から突出しており、
その輪軸部（３１）が隙間嵌めされる輪軸用孔部（１３）はその閉外殻の後部に設けられ、
偏心輪部取付用溝（１４）はその輪軸用孔部（１３）の反対側の閉外殻壁面に設けられ、
ロックプレート（２）と偏心輪部（３）を取外し及び取付けるために、嵌込組立部取付け及び取外し用開口部（１５）はその閉外殻の後部に設けられることを特徴とする展示フレームワーク組立用接続ロック。
【請求項２】
突起部（１２）が、上記閉外殻の内側壁面の閉外殻前方とその輪軸用孔部（１３）の中心線との間に、ロックプレート（２）の移動方向に対して垂直になり、また補強ブロックへ（１２１）伸設されるよう備えられた請求項１記載の展示フレームワーク組立用接続ロック。
【請求項３】
上記補強ブロック（１２１）が、上記輪軸用孔部（１３）の接線方向に伸設された請求項２記載の展示フレームワーク組立用接続ロック。
【請求項４】
上記ロックプレート（２）の後部が下方に婉曲した形状である請求項１記載の展示フレームワーク組立用接続ロック。
【請求項５】
上記ロックプレート（２）の後端部（２２）が傾斜面（２２１）とされている請求項４記載の展示フレームワーク組立用接続ロック。
【請求項６】
長孔部（１１）は、ロック解除時にロックプレート（２）の後部に手が伸ばせるように、閉外殻の壁部のロックプレート後部の下に備えられる請求項４または５記載の展示フレームワーク組立用接続ロック。
【請求項７】
ロックプレート円盤部（３４）が偏心ディスク部（３２）と輪頭部（３３）の間に備えられた請求項１記載の展示フレームワーク組立用接続ロック。
【請求項８】
リード（２３’）が上記ロックプレート（２）上に備えられた請求項１記載の展示フレームワーク組立用接続ロック。
【発明の詳細な説明】
【技術分野】
【０００１】
本発明は、展示装置用接続ロック、特に展示フレームワーク組立用高強度接続ロックに関する。
【背景技術】
【０００２】
要求される形状を得、品質の優れたロックを現実化し、偏心輪部の下方への移動と偏心が崩れるのを防ぐため、従来のロック外殻後部には複数の開口部及び突起部が設けられており、例えば、リード先端の婉曲部を回避するための孔部、偏心が崩れることに対してのある予防や偏心カムを回避するための孔部、ある作業のために必要とされる二つのその作業用孔部などが設けられている。複数の孔部がロック外殻に作られることにより、そのロック外殻の強度は非常に低下し、ロックの回転力が過大な場合はロック外殻がひび割れを引き起こしたり、また偏心が崩れるのを防ぐ効果が低下するため、従って、従来のロック外殻には信頼性が低いという欠点が存在している。
【発明の開示】
【発明が解決しようとする課題】
【０００３】
本発明は、高い信頼性があり製造方法の単純化が可能である展示フレームワーク組立用接続ロックを提供する。
【課題を解決するための手段】
【０００４】
展示フレームワーク組立用接続ロックは展示装置の部品を接続し、ロック外殻とロックプレートと偏心輪部で構成され、その偏心輪部は輪軸部と偏心ディスク部と輪頭部から成り、その輪軸部はその輪頭部を備えて、その偏心ディスク部上に取付けられ、上記ロックプレートは、上記ロック外殻内に備えられ、少なくとも２つの鉤爪部がそのロックプレートの先端部に備えられ、その偏心ディスク部に合致する対の偏心ディスク用孔部はそのロックプレートの後部に形成され、そのロック外殻は前頭部に鉤爪部用開口部を備えた中が空洞である閉外殻であり、その鉤爪部はその鉤爪部用開口部を通りその閉外殻内部から突出しており、その輪軸部が隙間嵌めされる輪軸用孔部はその閉外殻の後部に設けられ、偏心輪部取付用溝はその輪軸用孔部の反対側の閉外殻壁面に設けられ、ロックプレートと偏心輪部を取外し及び取付けるために、嵌込組立部取付け及び取外し用開口部はその閉外殻の後部に設けられることを特徴とする展示フレームワーク組立用接続ロック。
【０００５】
また、本発明の展示フレームワーク組立用接続ロックは、突起部が、上記閉外殻の内側壁面の閉外殻前方とその輪軸用孔部の中心線との間に、ロックプレートの移動方向に対して垂直になり、また補強ブロックへ伸設されてもよく、また、上記補強ブロックが、上記輪軸用孔部の接線方向に伸設されてもよく、また、上記ロックプレートの後部が下方に婉曲した形状であってもよく、また、上記ロックプレートの後端部が傾斜面とされてもよく、また、長孔部は、ロック解除時にロックプレートの後部に手が伸ばせるように、閉外殻の壁部のロックプレート後部の下に備えられてもよく、また、ロックプレート円盤部が偏心ディスク部と輪頭部の間に備えられてもよく、また、リードが上記ロックプレート上に備えられてもよい。
【発明の効果】
【０００６】
従来技術と比較し、本発明は以下の利点がある。
【０００７】
（１）本発明は、従来技術にある後部の突起部を取り除き、嵌込組立部を取付け及び取外しするための“開放型”開口部を備えることにより、外殻の複数の作業用孔部を設ける必要性がない。本発明の外殻は、少数の機能用孔部と除去用孔部のみを持つ相対的に閉じられた“閉型”外殻であり、外殻の孔部の減少によりその強度が向上することにより、本発明の信頼性が増す。本発明では、その構造の製造のために貫通孔は２つの端部のみに備えられ、よって貫通孔数が削減され、金型が単純化され、規格の合格率が向上する。
【０００８】
（２）補強ブロック、特に輪軸用孔部から接線方向に伸設された補強ブロックにより、突起部の軸受状態が向上し、先行技術の突起部の角部は応力を受けて破損しやすいという欠点が解消され、突起部の強度が向上され、さらに本発明の信頼性が向上する。
【０００９】
（３）ロックプレートの嵌込みにおいて、偏心ディスク部はロックプレートの偏心ディスク部用孔部内に正確に合致するよう位置し、直径が輪頭部の直径よりも大きいロックプレート円盤部が閉外殻の壁面内側により押され（閉外殻の壁面内側の偏心輪部を取付けるための溝の２つの側面）、ロックする時とロックを解除する時のみ効果的にロックプレートは外殻内で動くことにより、接続ロックがロックされている状態の信頼性は保たれる。
【実施例】
【００１０】
展示フレームワーク組立用接続ロックは展示装置の部品を接続し、ロック外殻（１）とロックプレート（２）と偏心輪部（３）で構成され、その偏心輪部（３）は輪軸部（３１）と偏心ディスク部（３２）と輪頭部（３３）から成り、その輪軸部（３１）はその輪頭部（３３）を備えて、その偏心ディスク部（３２）上に取付けられ、上記ロックプレート（２）は、上記ロック外殻（１）内に備えられ、
少なくとも２つの鉤爪部（２１）がそのロックプレート（２）の先端部に備えられ、その偏心ディスク部（３２）に合致する対の偏心ディスク用孔部（２３）はそのロックプレート（２）の後部に形成され、そのロック外殻（１）は前頭部に鉤爪部用開口部（１６）を備えた中が空洞である閉外殻であり、その鉤爪部（２１）はその鉤爪部用開口部（１６）を通りその閉外殻内部から突出しており、その輪軸部（３１）が隙間嵌めされる輪軸用孔部（１３）はその閉外殻の後部に設けられ、偏心輪部取付用溝（１４）はその輪軸用孔部（１３）の反対側の閉外殻壁面に設けられ、ロックプレート（２）と偏心輪部（３）を取外し及び取付けるために、嵌込組立部取付け及び取外し用開口部（１５）はその閉外殻の後部に設けられることを特徴とする。また、突起部（１２）が、上記閉外殻の内側壁面の閉外殻前方とその輪軸用孔部（１３）の中心線との間に、ロックプレート（２）の移動方向に対して垂直になり、かつ補強ブロック（１２１）へ伸設されるよう備えられ、この実施例では、上記補強ブロック（１２１）が、上記輪軸用孔部（１３）の接線方向に伸設されている。また、上記ロックプレート（２）の後部が下方に婉曲した形状とされる。また、上記ロックプレート（２）の後端部（２２）は傾斜面（２２１）とされ、長孔部（１１）は、ロック解除時にロックプレート（２）の後部に手が伸ばせるように、閉外殻の壁部のロックプレート後部の下に備えられている。接続ロック使用時の必要に応じ、ロックプレート（２）の後方に適合し利用されるよう、長孔部（１１）は貫通孔でも止まり孔でもよい。ロックプレート円盤部（３４）が偏心ディスク部（３２）と輪頭部（３３）の間に備えられ、リード（２３’）が上記ロックプレート（２）上に備えられ、リードとロックプレート円盤部による総合作用により、偏心輪部の偏心ディスク部はロックプレートに適切に嵌まり合う。
【図面の簡単な説明】
【００１１】
【図１】本発明の構造の主要図。
【図２】本発明の構造（部品一式）の上面図。
【図３】本発明の閉外殻の構造（部品一式）の主要図。
【図４】本発明の閉外殻の構造の上面図。
【図５】本発明の閉外殻の構造（部品一式）の右側図。
【図６】本発明の閉外殻の構造（部品一式）の立体図。
【符号の説明】
【００１２】
１           ロック外殻
１１       長孔部
１２       突起部
１２１    補強ブロック
１３       輪軸用孔部
１４       偏心輪部取付用溝              
１５       嵌込組立部取付け及び取外し用開口部
１６       鉤爪部用開口部
２           ロックプレート              
２１       鉤爪部
２２       ロックプレートの後端部
２２１  傾斜面
２３       偏心ディスク用孔部 
２３’   リード
３           偏心輪部
３１       輪軸部                         
３２       偏心ディスク部                            
３３       輪頭部                         
３４       ロックプレート円盤部       
【図１】
2009511137.tif 000003
【図２】
2009511137.tif 000004
【図３】
2009511137.tif 000005
【図４】
2009511137.tif 000006
【図５】
2009511137.tif 000007
【図６】
2009511137.tif 000008
【国際調査報告】
2009511137.tif 000009
2009511137.tif 000010
2009511137.tif 000011
2009511137.tif 000012
2009511137.tif 000013
2009511137.tif 000014